(57)【要約】【課題】    軽量で、持ち運びが容易な極めて作業性に秀れた実用的な角筒脚を有する作業台や脚立などの補助脚の提供。【解決手段】  取付部若しくは支承部に、補助脚体に対して起伏自在に取付枠を突設し、この取付枠の枠内に、固定状態若しくは締付ボルトによって角筒脚を補助脚に締付固定する際取付枠に係止されるように構成したボルト螺入板に、前記締付ボルトを螺合する螺合部を設け、該ボルト螺入板を強度の高い部材で形成し、取付枠等、他の構成を軽い部材で形成する。【選択図】      図３
2005281988.tif 000002
【特許請求の範囲】
【請求項１】
補助脚体に取付部を昇降自在に設け、この取付部を補助脚体の所定の高さで固定し得る係止機構を前記取付部に設け、この取付部に作業台や脚立などの角筒脚を支承する支承部を設け、この支承部に前記角筒脚を支承させて角筒脚を支承部に締付固定する締付固定機構を設けた作業台や脚立などの補助脚において、この取付部若しくは支承部に、前記角筒脚を押圧し締付固定する締付ボルトが挿入される挿通孔を枠上板部に設けた取付枠を突設し、この取付枠は前記補助脚体に対して起伏自在に構成し、前記挿通孔に挿入される締付ボルトを螺合する螺合部を有するボルト螺入板を、前記取付枠の枠上板部の内側に並設状態にして取付枠に固定状態若しくは前記締付ボルトにより前記角筒脚を締付固定する際に取付枠に係止されるように構成したことを特徴とする角筒脚を有する作業台や脚立などの補助脚。
【請求項２】
前記取付枠をアルミニウム製とし、前記ボルト螺入板はアルミニウム製よりも強度の大きい部材で形成したことを特徴とする請求項１記載の角筒脚を有する作業台や脚立などの補助脚。
【請求項３】
前記ボルト螺入板を、両端部を左右の前記取付枠側板部にスライド自在に設け、前記取付枠の側板部間に架設状態にしてスライド自在に設けたことを特徴とする請求項１，２のいずれか１項に記載の角筒脚を有する作業台や脚立などの補助脚。
【請求項４】
前記取付枠に、前記ボルト螺入板に螺入した締付ボルトの押圧により角筒脚を押さえ込む押さえ込み板を、両端部を左右の前記取付枠側板部にスライド自在に設け、前記取付枠の取付枠側板部に架設状態にしてスライド自在に設けたことを特徴とする請求項１〜３いずれか１項に記載の角筒脚を有する作業台や脚立などの補助脚。
【請求項５】
前記押さえ込み板と前記ボルト螺入板とを、略同一形状のものを採用したことを特徴とする請求項１〜４いずれか１項に記載の角筒脚を有する作業台や脚立などの補助脚。
【請求項６】
前記支承部は、角筒脚の大小若しくは大中小の複数種類の大きさの角筒脚が丁度嵌合される巾を有する、複数の嵌合溝を多段に刻設した支承板部と、この支承板部に取り付けられた角筒脚の底部を受け支承する底受板部で構成したことを特徴とする請求項１〜５のいずれか１項に記載の角筒脚を有する作業台や脚立などの補助脚。
【発明の詳細な説明】
【技術分野】
【０００１】
本発明は、角筒脚を有する作業台や脚立などの補助脚に関するものである。
【背景技術】
【０００２】
作業台や脚立などの脚の高さを調整するための、例えば出願人の先願に係る登録実用新案第２０５０１８８号公報（特許文献１）に開示されている補助脚が好評である。
【０００３】
このような従来の補助脚は、例えば、補助脚体に取付部を昇降自在に設け、この取付部を補助脚体の所定の高さで固定し得る係止機構を前記取付部に設け、この取付部に作業台や脚立などの角筒脚を支承する支承部を設け、この支承部に前記角筒脚を支承させて角筒脚を支承部に締付固定する締付固定機構を設けた作業台や脚立などの補助脚において、この支承部に、ナット付きの枠を直交状態に突設し、ナットに螺入した締付ボルトにより角筒脚を支承部に押圧して締付固定する構成である。
【０００４】
ところで、前記締付ボルトは、取付部に角筒脚を確実に固定しようとして非常に強く締め付けるので、この締付ボルトが螺入するナット付きの枠には、締付力に対する抵抗が強く作用し、ナット付きの枠がアルミニウムなどの軽い部材で構成されていると、強度が弱く、変形してしまう。
【０００５】
よって、締付力に対する抵抗が強く作用しても変形することなく、これに耐え得るだけの強度の高い部材でナット付きの枠を構成する必要があり、軽い部材を使うことは強度の問題から適わなかった。
【０００６】
しかしながら、このような補助脚は、当然段差のある現場等、平坦でなく持ち運びに不便な場所で使用されることが多く、また、トラック等の荷台に積む際にかさばって邪魔になりやすいことから、軽量化やコンパクト化等、更なる作業性の向上が要望されているのが現状である。
【０００７】
【特許文献１】登録実用新案第２０５０１８８号公報
【発明の開示】
【発明が解決しようとする課題】
【０００８】
本発明は、上述のような現状に鑑み、発明者等が鋭意研究を重ねた結果完成したもので、取付枠を補助脚体に対して起伏自在に構成すると共に、角筒脚を締付固定する締付ボルトを、取付枠でなく、この取付枠に固定状態若しくは前記締付ボルトにより前記角筒脚を締付固定する際に取付枠に係止されるように構成したボルト螺入板に螺入する構成とし、これにより取付枠を回動し伏臥させることで小さい収納スペースにも良好に収納でき、しかも取付枠等を軽い材料で形成することが可能となり、軽量で持ち運びが容易な極めて作業性に秀れた実用的な、角筒脚を有する作業台や脚立などの補助脚を提供することを課題としている。
【課題を解決するための手段】
【０００９】
添付図面を参照して本発明の要旨を説明する。
【００１０】
補助脚体１に取付部３を昇降自在に設け、この取付部３を補助脚体１の所定の高さで固定し得る係止機構２を前記取付部３に設け、この取付部３に作業台や脚立などの角筒脚４を支承する支承部５を設け、この支承部５に前記角筒脚４を支承させて角筒脚４を支承部５に締付固定する締付固定機構18を設けた作業台や脚立などの補助脚において、この取付部３若しくは支承部５に、前記角筒脚４を押圧し締付固定する締付ボルト10が挿入される挿通孔17を枠上板部９ａに設けた取付枠９を突設し、この取付枠９は前記補助脚体１に対して起伏自在に構成し、前記挿通孔17に挿入される締付ボルト10を螺合する螺合部11ａを有するボルト螺入板11を、前記取付枠９の枠上板部９ａの内側に並設状態にして取付枠９に固定状態若しくは前記締付ボルト10により前記角筒脚４を締付固定する際に取付枠９に係止されるように構成したことを特徴とする角筒脚４を有する作業台や脚立などの補助脚に係るものである。
【００１１】
また、前記取付枠９をアルミニウム製とし、前記ボルト螺入板11はアルミニウム製よりも強度の大きい部材で形成したことを特徴とする請求項１記載の角筒脚４を有する作業台や脚立などの補助脚に係るものである。
【００１２】
また、前記ボルト螺入板11を、両端部を左右の前記取付枠側板部９ｂにスライド自在に設け、前記取付枠９の側板部９ｂ間に架設状態にしてスライド自在に設けたことを特徴とする請求項１，２のいずれか１項に記載の角筒脚４を有する作業台や脚立などの補助脚に係るものである。
【００１３】
また、前記取付枠９に、前記ボルト螺入板11に螺入した締付ボルト10の押圧により角筒脚４を押さえ込む押さえ込み板８を、両端部を左右の前記取付枠側板部９ｂにスライド自在に設け、前記取付枠９の取付枠側板部９ｂに架設状態にしてスライド自在に設けたことを特徴とする請求項１〜３いずれか１項に記載の角筒脚４を有する作業台や脚立などの補助脚に係るものである。
【００１４】
また、前記押さえ込み板８と前記ボルト螺入板11とを、略同一形状のものを採用したことを特徴とする請求項１〜４いずれか１項に記載の角筒脚４を有する作業台や脚立などの補助脚に係るものである。
【００１５】
また、前記支承部５は、角筒脚４の大小若しくは大中小の複数種類の大きさの角筒脚４が丁度嵌合される巾を有する、複数の嵌合溝14を多段に刻設した支承板部５ａと、この支承板部５ａに取り付けられた角筒脚４の底部を受け支承する底受板部６で構成したことを特徴とする請求項１〜５のいずれか１項に記載の角筒脚４を有する作業台や脚立などの補助脚に係るものである。
【発明の効果】
【００１６】
本発明は上述のように構成したから、補助脚を使用しないときは、取付枠を回動し伏臥させることで小さい収納スペースにも良好に収納でき、また、取付枠内に架設したボルト螺入板を強度の高い部材で形成すれば、このボルト螺入板以外の取付枠等を特別強度の大きい部材で形成する必要がないので、ボルト螺入板以外の取付枠等は軽い材料で形成することが可能で、それだけ軽量化を図ることができ、小さい収納スペースにも良好に収納でき、しかも軽量で持ち運びが容易な極めて作業性に秀れた実用的な角筒脚を有する作業台や脚立などの補助脚となる。
【発明を実施するための最良の形態】
【００１７】
好適と考える本発明の実施形態（発明をどのように実施するか）を、図面に基づいて本発明の作用を示して簡単に説明する。
【００１８】
取付枠９に穿設した挿通孔17から挿入した締付ボルト10によって角筒脚４を支承部５に締付固定する際、該締付ボルト10を、該取付枠９でなく、取付枠上板部９ａの内側に並設状態にして取付枠９に固定状態もしくは係止されるように構成したボルト螺入板11に螺入することで、前記角筒脚４を締付固定する。
【００１９】
ここで、前記締付ボルト10を螺動し、この締付ボルト10の締付力によって角筒脚４を支承部５に締付固定することで、この締付力に対する抵抗によって、締付ボルト10が螺入する螺合部を有するボルト螺入板11には、曲げ作用が起こる。
【００２０】
しかし、前記曲げ作用は、前記取付枠９には直接的には作用せず、ボルト螺入板11を介して間接的に該取付枠９に作用することとなる。
【００２１】
その為、角筒脚４を締付固定する際、例えば、ボルト螺入板11が取付枠上板部９ａに面設状態に固定若しくは係止されるように構成すると、前記曲げ作用はボルト螺入板11と取付枠上板部９ａの圧接面に分散されることとなり、ボルト螺入板11がこの曲げ作用によって変形しない限り、取付枠９にも変形が起りにくくなる。
【００２２】
また、例えば、左右の取付枠側板部９ｂの所定の位置でボルト螺入板11の側端を固定状態若しくは係止されるように構成すると、該取付枠側板部９ｂに引っ張り力が作用するが、該取付枠側板部９ｂ及び取付枠上板部９に曲げ作用は殆ど作用しないのでボルト螺入板11が変形を起こさない限り、取付枠９には変形が起こりにくくなる。
【００２３】
従って、このボルト螺入板11が変形しない限り、取付枠９には変形が起こりにくくなるので、この締付ボルト10が螺入される螺合部11ａを有するボルト螺入板11を、前記締付力に対する抵抗によって起こる曲げ作用に耐え得る強度の大きい材料で形成するか、強度を高めた構成とすることで、取付枠９等、前記ボルト螺入板11以外の他の部材は特別強度に秀れたものである必要はなく、軽い部材で形成してもこれらに変形や破損は生じないから、それだけ軽量化を図ることができる。
【００２４】
また、この補助脚体１を使用しない場合には、前記補助脚体１に対して略直交方向に突設された取付枠９を補助脚体１に対して伏臥させることで、取付枠９の支承板５からの突出量を可及的に小さくしてコンパクトにでき、小さい収納スペースにも良好に収納することができる。
【００２５】
従って、本発明によれば、補助脚は段差のある現場等、一般に持ち運びにくい場所で使用されることが多いが、軽量化を図ることでそれだけ持ち運びが容易となり、しかも、取付枠９を回動させてコンパクトにでき、トラック等の荷台に複数積載する場合であってもかさばったりせずに良好に収納できることから、極めて作業性に秀れたものとなる。
【００２６】
また、請求項２の発明によれば、前記取付枠９をアルミニウム製とし、前記ボルト螺入板11としてアルミニウム製より強度の大きい部材で形成し、例えばこのボルト螺入板11をステンレス製のものを採用することで、締付ボルト10で角筒脚４を強く締付固定する際、ボルト螺入板11に、締付力に対する抵抗によって強い曲げ作用が起きても、ステンレス製等で強度の高いボルト螺入板11には変形が起こらないので、前記取付枠９は軽量なアルミニウム製の部材で形成し、それだけ軽量化が図れることとなる。
【００２７】
また、請求項３の発明によれば、前記ボルト螺入板11を、両端部を左右の前記取付枠側板部９ｂにスライド自在に設けて、前記取付枠９の取り付け枠側板部９ｂ間に架設状態にしてスライド自在に設けることで、このボルト螺入板11に前記締付ボルト10を螺入し前記角筒脚４を締付固定する際、該ボルト螺入板11は、取付枠側板部９ｂを上端に向かってスライドし、例えば該取付枠側板部９ｂ上端部と取付枠上板部９ａの側端部で成す取付枠９の角部９ｒに係止されることとなる。
【００２８】
従って、ボルト螺入板11を前記取付枠９の取付枠側板部９ｂ間に架設状態にしてスライド自在に設けることによって、該取付枠９が前記曲げ作用によって変形しにくくなるだけでなく、取付枠９に、該ボルト螺旋入板11を取付枠９に固定状態若しくは係止させる特別な構成を設ける必要がなく、それだけ生産性に秀れたものとなる。
【００２９】
さらに、このボルト螺入板11を、単に取付板上板部９ａにボルトなどで締結し固定状態に設けた場合に比して、ボルトやナット等の締結具や固定機構を必要としないので、それだけ、一層軽量化を図ることができ、生産性及びコスト面にも秀れたものとなる。
【００３０】
また、例えばこのボルト螺入板11の両端部を、左右の前記取付枠側板部９ｂに固定状態若しくは係止する構成とした場合、このボルト螺入板11を前記取付枠上板部９ａの内側に確実に並設状態になるように固定若しくは係止する為に、この固定若しくは係止機構には高い位置決め精度が要求され手間がかかるが、これに比して、本発明ではボルト螺入板11を前記取付枠９の左右の取付枠側板部９ｂ間に架設状態にしてスライド自在に設けることで、取付枠９前記締付ボルト10で前記角筒脚４を締付固定する際、該ボルト螺入板11は、例えば前記取付枠側板部９ｂに該ボルト螺入板11が取付枠上板部９ａの内側に確実に並設状態になるように高い位置決め精度の係止部を設けなくとも、該ボルト螺入板11は取付枠側板部９ｂを上端に向かってスライドし、該取付枠側板部９ｂ上端部と取付枠上板部９ａの端側部で成す取付枠９の角部９ｒに係止され、該取付枠上板部９ａに良好に並設状態で係止することとなるので、高い位置決め精度を必要とせず、生産性に秀れたものとなる。
【００３１】
また、請求項４の発明によれば、前記取付枠９に、前記螺入板11に螺入した締付ボルト10の押圧により角筒脚４を押さえ込む押さえ込み板８を、両端部を左右の前記取付枠側板部９ｂにスライド自在に設けて、前記取付枠９の側板部９ｂ間に架設状態にしてスライド自在に設けたことで、単に締付ボルト10のみにより押さえ込む場合と比して、より広い面で角筒脚４を確実に押さえ込むことができ、さらに、押さえ込み板８を介して締付ボルト10の締付力が角筒脚４に作用するので、直接締付ボルト10で強く締め付けることで角筒脚４に傷が付くことを防ぐことができ、安全性と実用性に秀れたものとなる。
【００３２】
また、請求項５の発明によれば、前記押さえ込み板８と前記ボルト螺入板11とを、略同一形状の板体のものを採用することで、前記押さえ込み板８に加工を施して容易にボルト螺入板11を形成し得る構成となり、量産時において生産性に秀れたものとなる。
【００３３】
また、請求項６の発明によれば、前記支承部５を、角筒脚４の大小若しくは大中小の複数種類の大きさの角筒脚４が丁度嵌合される巾を有する複数の嵌合溝14を多段に刻設した支承板部５ａと、この支承板部５ａに取り付けられた角筒脚４の底部を受け支承する底受板部６で構成することで、前記取付枠９と支承部５の間に挿入された角筒脚４の下端部を底受板部６で確実に支承し、また、この角筒脚に太さに大中小があっても支承板部５ａに刻設した嵌合溝14の丁度嵌合する大きさの溝に該角筒脚４を嵌合することで、横ズレを阻止し、確実に締付固定でき、より作業性・安全性に秀れたものとなる。
【００３４】
従って、本発明は、角筒脚を確実に固定できるのは勿論、小さい収納スペースにも良好に収納でき、しかも、軽量で持ち運びが容易な極めて作業性に秀れた実用的な角筒脚を有する作業台や脚立などの補助脚となる。
【実施例】
【００３５】
本発明の具体的な実施例について図１〜３に基づいて説明する。
【００３６】
本実施例は図１のように補助脚体１に取付部３を昇降自在に設け、この取付部３を補助脚体１の所定の高さで固定し得る係止機構２を前記取付部３に設け、この取付部３に作業台や脚立などの角筒脚４を支承する支承部５を設け、この支承部５に前記角筒脚４を支承させて角筒脚４を支承部５に締付固定する締付固定機構18を設けた作業台や脚立などの補助脚であって、前期取付部３に、前記角筒脚４を押圧し締付固定する締付ボルト10が挿入される挿通孔17を枠上板部９ａに設けた取付枠９を突設し、この取付枠９は前記補助脚体１に対して起伏自在に構成し、前記挿通孔17に挿入される締付ボルト10を螺合する螺合部11ａを有するボルト螺入板11を、前記取付枠９の枠上板部９ａの内側に並設状態にして、取付枠９に、前記締付ボルト10により角筒脚４を締付固定する際取付枠９に係止されるように構成したものである。
【００３７】
具体的には、取付部３は図２に示すように、上板部３ａ，下板部３ｂ及び側板部３ｃから成るコ字型板状枠で、この上板部３ａ及び下板部３ｂに、前記補助脚体１を挿通し得る補助脚体挿通孔３ｄを穿設した構成である。
【００３８】
この取付部３に係止機構２を設け、この係止機構２を押し上げ発条15及び係止板16から成り、前記取付部３に設けた補助脚体挿通孔３ｄ，係止板16及び押し上げ発条15に補助脚体１を連通した状態で、係止板16を指圧で押し下げると、係止板16が補助脚体１に対してフリーとなり、取付部３は補助脚体１に対して昇降自在にスライド可能となり、指圧を開放すると、押し上げ発条15により係止板16が補助脚体１に対して固定維持状態となる構成とすることで、取付部３を補助脚体１に対して昇降自在に設け、さらに該取付部３を補助脚体１の所定の高さで固定し得る構成とした。
【００３９】
また、この取付部３の側板部３ｃの背側に角筒脚４を支承する支承部５を溶接により着設した。
【００４０】
本実施例では、この支承部５に角筒脚４を締付固定する際に、具体的には、取付枠９に設けた挿通孔17から挿入した締付ボルト10を、該取付枠９の左右の側板部９ｂ間に架設状態にしてスライド自在に設けたボルト螺入板11に備えた螺合部11ａに螺入することで前記角筒脚４を締付固定する構成である。
【００４１】
ここで、前記ボルト螺入板11の構成をさらに具体的に説明すると、このボルト螺入板11は左右両端部に、丁度取付枠９の左右の側板部９ｂが左右夫々挿通し得るスライド孔11ｂを穿設し、このスライド孔11ｂに左右の側板部９ｂを夫々挿通することで、該ボルト螺入板11の両端部を左右の取付枠側板部９ｂに対してスライド自在に設けて、前記取付枠９の側板部９ｂ間に架設状態にしてスライド自在に設け、さらに略中心位置に、前記締付ボルト10が挿通される挿通孔11ｃを穿設し、支承部との対向面に、前記挿通孔11ｃと連通する締付ボルト螺合ナット12を突設し、この連通する挿通孔11ｃ及び締付ボルト螺合ナット12を、該ボルト螺入板11の螺合部11ａとした構成である。
【００４２】
よって、締付ボルト10を前記螺合部11ａに螺入し前記角筒脚４を締付固定する際、該締付ボルト10が螺入する螺合部11ａを有するボルト螺入板11には、締付力に対する抵抗によって曲げ作用が作用することとなるが、この曲げ作用は、前記取付枠９には直接的に作用せず、ボルト螺入板11を介して間接的に該取付枠９に作用することとなる。
【００４３】
即ち、本実施例においては、左右の取付枠側板部９ｂ間に架設状態にしてスライド自在に設けられたボルト螺入板11が、締付ボルト10によって角筒脚４を締付固定する際、図３に示すように取付枠側板部９ｂの上端部と取付枠上板部９ａの両端部で成すＲ形状の角部９ｒに係止することとなり、前記曲げ作用も、この取付枠９ａの両端部の角部９ｒに作用することとなる。
【００４４】
つまり、単に取付枠９の上板部９ａの略中心位置にナットを設け、直接この取付枠９に前記締付ボルト10を螺合させる構成では、前記曲げ作用が取付枠上板部９ａの略中心位置に作用するので、該取付枠上板部９ａにたわみが発生しやすく、取付枠９が変形しやすかったのに対し、本実施例では、前記曲げ作用が、前記取付枠上板部９ａの、略中心部ではなく両端側に作用することとなるので、たわみが発生しにくく、強く締付ボルト10を締めても、取付枠９には変形が起こりにくくなる。
【００４５】
従って、本実施例においては、締付ボルト10が螺入される螺合部11ａを有するボルト螺入板11を、前記締付力に対する抵抗によって起こる曲げ作用に十分耐え得る、強度の大きいステンレス製で形成し、取付枠９等、前記ボルト螺入板11以外の部材は強度に秀れたものでなくとも、これらに変形は生じにくいので、アルミニウム製の軽い部材で形成し、それだけ軽量化を図ることが可能となる。
【００４６】
さらに、ボルト螺入板11に前記締付ボルト10を螺入し前記角筒脚４を締付固定する際、該ボルト螺入板11は取付枠側板部９ｂを上端に向かってスライドし、該取付枠側板部９ｂ上端部と取付枠上板部９ａの側端部で成すＲ形状の角部９ｒに係止される構成なので、該ボルト螺旋入板11を取付枠９に固定状態若しくは係止するための特別な構成を取付枠９に設ける必要が無く製造が容易となり、取付枠９に変形が起こりにくいだけでなく、生産性にも秀れた、より実用性の秀れたものである。
【００４７】
また、このボルト螺入板11を、単に取付板上板部９ａにボルト21などで締結し面接状態に固定する構成とした場合に比して、ボルトやナット等の締結具や固定機構を必要としないので、一層軽量化を図ることができ、コスト面及び生産性にも秀れたより実用性の秀れたものである。
【００４８】
また、このボルト螺入板11の両端を、左右の前記取付枠側板部９ｂに固定状態若しくは係止する構成とした場合には、このボルト螺入板11を前記取付枠上板部９ａに確実に並設状態になるように固定若しくは係止する為に、この固定若しくは係止機構には高い位置決め精度が要求され手間がかかるが、これに比して、本実施例においては、ボルト螺入板11に前記締付ボルト10を螺入し前記角筒脚４を締付固定する際、前記取付枠９の左右の側板部９ｂ間に架設状態でスライド自在に設けたボルト螺入板11は、取付枠側板部９ｂの所定の位置に該ボルト螺入板11が取付枠上板部９ａの内側に確実に並設状態に係止する為の高い位置決め精度の係止部を設けなくとも、該ボルト螺入板11は取付枠側板部９ｂを上端に向かってスライドし、該取付枠側板部９ｂ上端部と取付枠上板部９ａの端側部で成すＲ形状の角部９ｒに係止され、良好に該取付枠上板部９ａの内側に並設状態で係止される構成なので、高い位置決め精度の固定若しくは係止機構を必要とせず、製造が容易で生産性に秀れたものである。
【００４９】
さらに、本実施例では、前記取付枠９を前記取付部３に、補助脚体１に対して起伏回動自在に突設した構成である。
【００５０】
具体的には、コ字型の板状部材で構成した取付枠９の側板部９ｂの下端部に、同軸線上に、回動運動の枢軸となる通しボルト７が挿通する軸孔９ｃを穿設し、該軸孔９ｃと連通し、枢軸としての前記通しボルト７を嵌入し受容する筒体19を、前記取付部側板部３ｃの枠内側に、前記補助脚体１に対して略直交方向に溶接によって着設し、前記通しボルト７のボルト頭の下に座金20を装着した状態で、前記軸孔９ｃ及び、取付部３に着設した筒体19に連通し、次いでボルト足側にも座金20を装着しナットで締結することで、該通しボルト７を枢軸として取付枠９を補助脚体１に対して起伏回動自在に突設した構成である。
【００５１】
従って、本実施例においては、この補助脚体１を使用しない場合には、図２に示すように、前記補助脚体１に対して略直交方向に突設された取付枠９を補助脚体１に対して伏臥させることで、取付枠９の支承部５からの突出量を可及的に小さくしコンパクトにでき、小さい収納スペースにも良好に収納することができる。
【００５２】
さらに、本実施例では、前記取付枠９に、前記ボルト螺入板11に螺入した締付ボルト10の押圧により角筒脚４を押さえ込む押さえ込み板８を、両端部を前記取付枠９の左右の側板部９ｂ間に架設状態にしてスライド自在に設けた。
【００５３】
従って、本実施例においては、単に締付ボルト10のみにより押さえ込む場合と比して、より広い面で角筒脚４をより確実に押さえ込むことができるだけでなく、広い圧接面積で押さえ込むので、締付ボルト10で角筒脚４を傷付けることを防ぐことができる、安全性と実用性に秀れたものである。
【００５４】
さらに、本実施例では、前記押さえ込み板８と前記ボルト螺入板11とを略同一形状の構成とした。
【００５５】
具体的には、前記ボルト螺入板11を、前記押さえ込み板８に締付ボルト10が挿入される挿通孔11ｃを穿設すると共に、この挿通孔11ｃと連通するナット12を前記支承部５との対向面に突設する構成としたものである。
【００５６】
従って、本実施例においては前記押さえ込み板８に加工を施すことで容易にボルト螺入板11となる構成なので、量産時において生産性及びコスト面に秀れたものである。
【００５７】
また、本実施例では、前記取付部側板部３ｃの背側に溶接により着設した前記支承部５を、取付部側板部３ｃの背側に溶接により付設状態に設けた、角筒脚４の大小若しくは大中小の複数種類の大きさの角筒脚４が丁度嵌合される巾を有する複数の嵌合溝14を多段に刻設した支承板部５ａと、この支承板部５ａの下部に溶接により架設状態に設けた、角筒脚４の底部を受け支承する底受板部６とで構成したものである。
【００５８】
具体的には、図３で示すように角筒脚４をこの支承部５と前記押さえ込み板８との間に挿入し、支承部５の下部に架設状態に設けた底受板部６によって、角筒脚４の下端を支承し、支承板部５ａ上部に刻設した嵌合溝14の、該角筒脚４が丁度嵌合される大きさの嵌合溝14に該角筒脚４を嵌入し、押さえ込み板８によって押さえ込み、固定する構成である。
【００５９】
従って、本実施例においては、作業台や脚立の角筒脚４に大小若しくは大中小があっても角筒脚４を嵌合溝14に嵌合することで横ズレを抑止し、確実かつ安全に支承部５に角筒脚４を固定する実用性に秀れたものである。
【００６０】
尚、前記取付部３を、取付部側板部３ｃの背側を角筒脚４の大小若しくは大中小の複数種類の大きさの角筒脚４が丁度嵌合される巾を有する複数の嵌合溝14を多段に刻設した形状の構成としてもよい。
【００６１】
また、前記取付部３を、該取付部３の下部に角筒脚４の下端を支承する底受板部６を形成した形状の構成としても良い。
【００６２】
本実施例は、上記のように構成したので、段差のある現場等、持ち運びにくい場所で使用する場合にも、軽量化を図ることでそれだけ持ち運びが容易であり、また、取付枠９を回動させてコンパクトにでき、トラック等の荷台に複数積載する場合であってもかさばったりせずに良好に収納でき、また、大小若しくは大中小の大きさがある角筒脚４においても安全かつ確実に取り付け固定でき、さらに生産性も秀れたものである。
【００６３】
従って、本実施例は角筒脚を確実に固定できるのは勿論、小さい収納スペースにも良好に収納でき、しかも軽量で持ち運びが容易で、作業性，実用性及び生産性に秀れた極めて画期的な角筒脚を有する作業台や脚立などの補助脚となる。
【００６４】
尚、本実施例では、ボルト螺入板11を前記取付枠９の左右の側板部９ｂ間に架設状態にしてスライド自在に設けたが、例えば取付枠９の左右側板部９ｂの所定の位置に係止部を設け、前記締付ボルト10により角筒脚４を締付固定する際、このスライド自在に設けたボルト螺入板11がこの係止部により前記取付枠上板部９ａの内側に並設状態にして係止される構成、若しくは取付枠９の左右側板部９ｂの所定の位置に、前記取付枠上板部９ａの内側に並設状態にして前記ボルト螺入板11の両端部を溶接により該取付枠上板部９ａに着設する構成としても良い。
【００６５】
この場合、前記締付力に対する抵抗によって、取付枠側板部９ｂには引っ張り力が作用するが、取付枠上板部９ａには曲げ作用は殆ど作用せず、強く締付ボルト10を締めても、取付枠９には変形が起こりにくくなる。
【００６６】
また、例えばボルト螺入板11を取付枠上板部９ａにボルトやナットで面接状態に固定、若しくは、前記取付枠９の左右の側板部９ｂ間に架設状態にしてスライド自在にボルト螺入板11を設け、前記締付ボルト10で角筒脚４を締付固定する際に、該ボルト螺入板11が該側板部９ｂの上端に向かってスライド移動し、取付枠上板部９ａに面接して係止する構成にしても良い。
【００６７】
この場合、前記曲げ作用は、ボルト螺入板11と取付枠上板部９ａの圧接面に分散されることとなり、強く締付ボルト10を締めても、取付枠９には変形が起こりにくくなる。
【図面の簡単な説明】
【００６８】
【図１】本実施例の概略説明斜視図である。
【図２】本実施例の取付枠の起伏回動を示す概略説明側面図である。
【図３】本実施例の使用時における要部の概略説明斜視図である。
【符号の説明】
【００６９】
１  補助脚体
２  係止機構
３  取付部
４  角筒脚
５  支承部
５ａ  支承板部
６  底受板部
８  押さえ込み板
９  取付枠
９ａ  取付枠上板部
９ｂ  取付枠側板部
10  締付ボルト
11  ボルト螺入板
11ａ  ボルト螺合部
14  嵌合溝
17  挿通孔
18  締付固定機構
【図１】
2005281988.tif 000003
【図２】
2005281988.tif 000004
【図３】
2005281988.tif 000005